(57)【要約】【課題】カバー部分を開けることが容易なビスキャップを提供すること【解決手段】ビス４を覆うためにキャップ穴６に挿入されるビスキャップ５は、カバー部１２と、キャップ穴６に形成されるツメ部９にラッチ可能な突起部１３と、突起部１３がラッチすると、キャップ穴６への挿入方向とは逆方向にカバー部１２を付勢する付勢部１６とを備えている。【選択図】図２
2010286020.tif 000002
【特許請求の範囲】
【請求項１】
ビスを覆うためにキャップ穴に挿入されるビスキャップであって、
カバー部と、
前記キャップ穴に形成されるツメ部にラッチ可能な突起部と、
前記突起部がラッチすると、前記キャップ穴への挿入方向とは逆方向に前記カバー部を付勢する付勢部と、
を備えることを特徴とする、ビスキャップ。
【請求項２】
前記キャップ穴の側壁には、前記突起部を前記ツメ部へと導く溝が形成されており、該溝は該キャップ穴の開口近傍で終端していることを特徴とする、請求項１に記載のビスキャップ。
【請求項３】
前記ビスは、空気調和機の室内機の内部構成を保持する台枠と、該内部構成を覆う前面枠とを締結し、前記キャップ穴は、前記前面枠に形成されることを特徴とする、請求項１または２に記載のビスキャップ。
【発明の詳細な説明】
【技術分野】
【０００１】
本発明は、ビスを覆うためのビスキャップに関する。
【背景技術】
【０００２】
例えば、空気調和機に関しては、室内機の内部構成を保持する本体シャーシと、内部構成を意匠性から覆い隠すフロントパネルとの締結にはビスが使用されることがある。
【０００３】
また、例えば、壁掛型の室内機は、壁に据付けられた状態でメンテナンスできることが望ましいので、ビスは室内機の前面部分に配置される。そうすると、ビス頭がユーザに見えることとなるため、意匠上の理由から、少なくともビス頭の部分を覆い隠すビスキャップが用いられる場合がある（例えば、特許文献１を参照）。
【先行技術文献】
【特許文献】
【０００４】
【特許文献１】実開平１−１２５９２７号公報
【発明の概要】
【発明が解決しようとする課題】
【０００５】
従来のビスキャップを開けるには、カバー部分の縁に指をかける必要がある。しかし、例えばカバー部分の四方がフロントパネルで囲まれていると、カバー部分の縁に指をかけづらい。この場合、ドライバなどの工具の先端をカバー部分とフロントパネルの間に挿入し、こじ開けるなどの作業が発生する場合がある。このように、従来のビスキャップには開けづらいという問題点があった。
【０００６】
さらに言えば、カバー部分をこじ開ける時に、余分な力が加わるとビスキャップやフロントパネルを破損したり、ビスキャップを飛ばして紛失してしまったりするという問題点もある。
【０００７】
それ故に、本発明は、カバー部分を開けることが容易なビスキャップを提供することを目的とする。
【課題を解決するための手段】
【０００８】
上記目的を達成するために、本発明は、ビスを覆うためにキャップ穴に挿入されるビスキャップであって、カバー部と、前記キャップ穴に形成されるツメ部にラッチ可能な突起部と、前記突起部がラッチすると、前記キャップ穴への挿入方向とは逆方向に前記カバー部を付勢する付勢部とを備える。
【発明の効果】
【０００９】
上記ビスキャップのカバー部でキャップ穴を塞ぐと、突起部がツメ部にラッチするとともに、キャップ穴への挿入方向とは逆方向に付勢部がカバー部を付勢する。また、カバー部を開ける場合には、例えば指でカバー部を押すこと（つまり、カバー部に対し挿入方向に力を加えること）で、突起部のラッチ状態は解除される。このときカバー部は、付勢部により上記逆方向に付勢されているので、キャップ穴から飛び出す。
【００１０】
以上の通り、上記ビスキャップによれば、カバー部に対し挿入方向に力を加えるだけで、カバー部を開けることが可能になり、これによって、従来よりも容易に開けることが可能なビスキャップを提供することが可能となる。
【図面の簡単な説明】
【００１１】
【図１】本発明の実施形態にかかるビスキャップを採用した空気調和機の構成を示す模式図
【図２】図１の二点鎖線で囲まれた領域Ａの拡大図
【図３】図１に示すビスキャップ５が開放されている時の状態を示す模式図
【図４】図１に示すビスキャップ５が閉じている時の状態を示す模式図
【図５】図１に示すビスキャップ５を取り外す時の状態を示す模式図
【発明を実施するための形態】
【００１２】
本発明は、ビスを覆うためにキャップ穴に挿入されるビスキャップであって、カバー部と、キャップ穴に形成されるツメ部にラッチ可能な突起部と、突起部がラッチすると、キャップ穴への挿入方向とは逆方向にカバー部を付勢する付勢部とを備える。上記ビスキャップによれば、カバー部に対し挿入方向に力を加えるだけで、カバー部を開けることが可能になり、これによって、従来よりも容易に開けることが可能なビスキャップを提供することが可能となる。
【００１３】
好ましくは、キャップ穴の側壁には、突起部をツメ部へと導く溝が形成されており、該溝は該キャップ穴の開口近傍で終端している。これにより、突起部が溝の終端部分でストップするので、ビスキャップがキャップ穴から完全に離脱することを防止することができる。このことは、高い場所でメンテナンスする場合が多い壁掛型の空気調和機に好都合である。
【００１４】
また、例えば、ビスは、空気調和機の室内機の内部構成を保持する台枠と、該内部構成を覆う前面枠とを締結し、キャップ穴は、前面枠に形成される。
【００１５】
以下、図面を用いて、本発明の実施形態について説明する。
【００１６】
図１は、本発明の実施形態にかかるビスキャップを採用した空気調和機の構成を示す模式図である。
【００１７】
図１において、空気調和機の室内機１は、内部構成部品を保持する台枠（本体シャーシ）２と、内部構成部品を覆い隠す前面枠（フロントパネル）３とで構成される。この台枠２と前面枠３とはビス４にて締結されている。
【００１８】
ここで、前面枠３には、ビス４の頭の部分を少なくとも隠すためのビスキャップ５を挿入するキャップ穴６が形成されている。
【００１９】
図２は、図１の二点鎖線で囲まれた領域Ａの拡大図である。
【００２０】
図２において、キャップ穴６の側壁７において、互いに対向する２箇所（例えば左右両側）には、ビスキャップ５のラッチ動作を可能とする溝８が形成されている。但し、図２では、図示の都合上、溝８等は一箇所に図示される。この溝８は、大略的には、キャップ穴６の開口近傍から底の方向に伸びており、該開口近傍と該底近傍で終端している。なお、本実施形態では、溝８において開口近傍の終端部分を終端部１１と呼ぶ。溝８は、開口近傍から見て、まず、概ね中央部分で斜め下方向に屈曲して、その後上方向に屈曲している（以下、この部分を第１の屈曲部分という）。その後さらに、溝８は、斜め下方向に屈曲した後上方向に屈曲する（以下、第２の屈曲部分という）。この第１の屈曲部分より、キャップ穴６の側壁には第１のツメ９が構成され、第２の屈曲部分により、第１のツメ９より底方向に第２のツメ１０が構成される。また、溝８は、第２の屈曲部分から、第１及
び第２のツメ９，１０の上方を通過し、その後、終端部１１の方に戻ってくる。
【００２１】
また、ビスキャップ５は、キャップ穴６の開口部分に大きさが実質一致するカバー部１２を備えている。このカバー部１２の左右両側には、キャップ穴６の底方向に伸びるアーム部１４が設けられる。各アーム部１４の先端には、上記溝８にはまり込み、該溝８に沿ってスライド可能な突起部１３が形成される。この２つの突起部１３は、各アーム部１４から互いに反対方向（左右方向）に突出している。また、各アーム部１４は、各突起部１３を溝８にはめ込みやすくするために、少なくとも左右方向に弾性を有する。また、カバー部１２の下端からは、キャップ穴６の下面に沿って移動するすべり板１５が延びている。ビスキャップ５はさらに、カバー部１２の背面に取り付けられ、キャップ穴６への挿入方向とは逆方向にビスキャップ５を付勢する付勢部１６を備えている。なお、図示した例では、付勢部１６の例示として、板バネが示されている。
【００２２】
次に、上記構成のビスキャップ５の作用や使い方について説明する。
【００２３】
図３は、ビスキャップ５が開放されている時の状態を示す模式図である。図３において、両アーム部１４には内側方向の力が加えられ、両突起部１３が左右の溝８にはめ込まれ。この状態で、両突起部１３は両終端部１１により係止され、カバー部１２は、前面枠３の外部に垂れ下がることになる。これにより、ビスキャップ５は前面枠３から脱落しないようになる。室内機１の中でも、特に壁掛型の場合、メンテナンス作業は壁に据え付けられた状態で行われることが多いので、ビスキャップ５が前面枠３から脱落しないことは、作業性の面で好都合である。なお、上記と逆の手順により、ビスキャップ５を取り外すができる。
【００２４】
次に、図４は、ビスキャップ５が閉じている時の状態を示す模式図である。特に、図４（ａ）は、ビスキャップ５が閉じた状態の斜視図で、図４（ｂ）は、同状態を横方向から見た図である。
【００２５】
図３の状態の後、カバー部１２が前面枠３に向けて例えば指で押され、これによって、図４の点線矢印で例示するように、各突起部１３は、各溝８内をスライドしていくと共に、カバー部１２がキャップ穴６の中の方に挿入されていく。そして、各突起部１３が各第１のツメ９を乗り越えたあたりで、“カチッ“というクリック感が得られる。この状態で、カバー部１２の主面は前面枠３の主面と実質的にフラットな状態になる。これが、エアコン設置後、又はメンテナンス後の“ユーザの使用時”の状態である。この時、付勢部１６は、キャップ穴６の底面を押す方向に対し反発するため、各突起部１３は各第１のツメ９に引っかかり、“ユーザ使用時”の状態が保持されることとなる。
【００２６】
最後に、図５は、ビスキャップ５を取り外す時の状態を示す模式図である。特に、図５（ａ）は、ビスキャップ５を押し込んだ時の状態を示す斜視図で、図５（ｂ）は、同状態を横方向から見た図である。
【００２７】
ビスキャップ５を図４の状態からさらに挿入方向に、例えば指により押し込むと、両突起部１３が、第２のツメ１０を乗り越えるあたりで、再び“カチッ”というクリック感を得る。この時の状態が図５（ｂ）の矢印で示されている。
【００２８】
ここで、指をカバー部５から離すと、付勢部１６の反発力で、両突起部１３は両溝８を伝って、カバー部１２は前面枠３のキャップ穴６から飛び出すこととなる。これにより、ビスキャップ５は、図３に示した、“キャップの開放状態”へ戻る。
【００２９】
以上説明したように、本実施形態にかかるビスキャップ５によれば、カバー部１２でキ
ャップ穴６を塞ぐと、両突起部１３が第１のツメ９にラッチする。この時、付勢部１６は、反発方向にカバー部１２を付勢する。また、カバー部１２を開ける場合には、例えば指でカバー部を押すことで、両突起部１３が両第２のツメ１０を乗り越える。この後、指を話すことで、両突起部１３が両溝８上をスライドして、両突起部１３のラッチ状態は解除される。このときカバー部１２は、付勢部１６の反発力におり、キャップ穴から飛び出す。
【００３０】
以上の通り、上記ビスキャップによれば、カバー部１２に対し挿入方向への力を加えるだけで、カバー部１２を開けることが可能になり、これによって、従来よりも容易に開けることが可能なビスキャップ５を提供することが可能となる。
【産業上の利用可能性】
【００３１】
本発明に係るビスキャップは、容易に開けることが要求されるという効果を奏し、空気調和機等に好適である。
【符号の説明】
【００３２】
１  室内機
２  台枠
３  前面枠
４  ビス
５  ビスキャップ
６  キャップ穴
７  側壁
８  溝
９  第１のツメ
１０  第２のツメ
１１  終端部
１２  カバー部
１３  突起部
１４  アーム部
１５  すべり板
１６  付勢部
【図１】
2010286020.tif 000003
【図２】
2010286020.tif 000004
【図３】
2010286020.tif 000005
【図４】
2010286020.tif 000006
【図５】
2010286020.tif 000007